(57)【要約】【課題】室内側からの工事のみで既設のカーテンウォールをエアーフローカーテンウォールに改修できるエアーフローカーテンウォールとする。【解決手段】既設のカーテンウォールの方立１０における室内側部にインナーサッシ２０を取付け、このインナーサッシ２０と既設のカーテンウォールの面材とで空間部２１を形成し、この空間部２１の下部を吸込口２２で室内に連通すると共に、その空間部２１の上部を排気装置２３の吸込側に連通して空間部２１内の室内に空気が流通するエアーフローカーテンウォールとする。【選択図】図３
2010144475.tif 000002
【特許請求の範囲】
【請求項１】
既設のカーテンウォールの左右に隣接した方立間における居住空間と対向した部分にインナースキンを取付け、
このインナースキンと前記既設のカーテンウォールの面材との間に空間部を構成し、
この空間部の下部を居住空間に連通し、
前記空間部の上部を排気装置の吸込側に連通したことを特徴とするエアーフローカーテンウォール。
【請求項２】
前記空間部の上部に、その空間部に沿って流れた空気を捕集するエアー捕集体と、このエアー捕集体内に捕集した空気が流れ込むチャンバーボックスを備えたエアーフローユニットを取付け、
このチャンバーボックスに排気装置の吸込側を連通した請求項１記載のエアーフローカーテンウォール。
【請求項３】
前記インナースキンを、開閉自在な障子を有したインナーサッシとし、このインナーサッシの上部を前記エアー捕集体に取付けた請求項２記載のエアーフローカーテンウォール。
【請求項４】
前記左右に隣接した方立の室内側部にインナースキンを取付け、このインナースキンと前記方立の内面と既設のカーテンウォールの面材とで空間部を形成した請求項１又は２又は３記載のエアーフローカーテンウォール。
【請求項５】
前記既設のカーテンウォールの方立の室内側部に補助方立を、その方立よりも室内側に張り出して取付け、
この左右に隣接した補助方立間にインナースキンを取付け、このインナースキンと前記方立の内面と補助方立の内面と既設のカーテンウォールの面材とで空間部を形成した請求項１又は２又は３記載のエアーフローカーテンウォール。
【請求項６】
既設のカーテンウォールの方立の室内側部に、左右の縦部材を、その方立よりも室内側に張り出してそれぞれ取付け、
前記左右に隣接した縦部材間に、インナースキンを取付け、
このインナースキンと前記方立の内面と縦部材の内面と既設のカーテンウォールの面材とで空間部を形成した請求項１又は２又は３記載のエアーフローカーテンウォール。
【請求項７】
既設のカーテンウォールの方立の室内側部に、上取付ブラケットと下取付ブラケットを、その方立よりも室内側に張り出してそれぞれ取付け、
前記上取付ブラケットにインナースキンの上部を取付け、このインナースキンの下部を前記下取付ブラケットに取付け、
このインナースキンと既設のカーテンウォールの面材との間に空間部を形成した請求項１又は２又は３記載のエアーフローカーテンウォール。
【請求項８】
既設のカーテンウォールの方立における面材よりも室内側寄りで居住空間と対向した部分に、インナースキンを取付け、
このインナースキンと前記面材との間に空間部を形成し、
前記空間部の下部を前記居住空間に連通すると共に、その空間部の上部を排気装置の吸込側に連通してエアーフローカーテンウォールとすることを特徴とするカーテンウォールの改修方法。
【発明の詳細な説明】
【技術分野】
【０００１】
本発明は、室内の空気が流通する空間部を有したエアーフローカーテンウォールに関する。
【背景技術】
【０００２】
カーテンウォールは、建物躯体に取付けられて建物の外壁を構成する。
一方、建物の窓開口部に取付ける窓装置としては、特許文献１に開示したように、枠に室内側のガラスと室外側のガラスを装着して空間部を形成し、その空間部の下部を室内に連通し、かつ上部を排気用ファンに連通し、その排気用ファンを駆動することで室内の空気が空間部を流通して排気されるようにしたものが知られている。
この窓装置であれば、室内側のガラスと室外側のガラスとの間の空間部に室内の空気が流通するので、エアーフロー窓装置と呼ばれ、窓際の温熱環境が改善される。
【０００３】
また、空気が流通する空間部を有したカーテンウォールとしては、例えば特許文献２に開示されたように、建物躯体側にインナースキン（室内サッシ）とアウタースキン（室外サッシ）を取付け、その両者の間に空間部（キャビティ部分）を形成し、その空間部を床側と天井側にそれぞれ連通して室内の空気が空間部を流通するようにしたエアーフローカーテンウォールが開示されている。
このカーテンウォールであれば、前述の窓装置と同様に窓際の温熱環境が改善される。
【特許文献１】実公平４−４４５３号公報
【特許文献２】特開２００５−４８４２６号公報
【発明の開示】
【発明が解決しようとする課題】
【０００４】
近年、省エネルギーの面から、建物の窓際の温熱環境の改善、つまり熱負荷軽減が要求されている。
前述した従来のエアーフロー窓装置、エアーフローカーテンウォールであれば、前述したように窓際の温熱環境が改善される。
しかし、前述した従来のエアーフロー窓、エアーフローカーテンウォールは新規な建物を構築する際に用いることができるが、既設の窓装置、カーテンウォールの場合には、既設の窓装置、カーテンウォールを取り外し、その取り外した跡に前述した従来のエアーフロー窓装置、エアーフローカーテンウォールを取付けることになる。
【０００５】
前述した窓装置の場合には、窓開口部から既設の窓枠と取り外し、その窓開口部にエアーフロー窓装置の窓枠を取付ければ良いから、比較的容易に施工できる。
しかし、前述したカーテンウォールの場合には建物躯体側から既設のカーテンウォールを取り外し、その跡にインナースキン、アウタースキンを取付けるので、建物外部から工事することになる。
このために、施工コストの面では、外部足場などの仮説工事、道路占有許可の費用が必要であり、工事中には入居者の出入り等が制限されるので、コスト面や入居者の都合で施工が非常に困難である。
また、安全面では建物外部に物を落下することがあったり、雨天時の室内漏水の危険性がある。
【０００６】
このように、既設のカーテンウォールを取り外して新たにエアーフローカーテンウォールを取付ける場合には、建物外部から工事するので、施工コストの面、入居者の都合、安全面で問題がある。
【０００７】
本発明の目的は、室内側からの工事のみで既設のカーテンウォールをエアーフローカーテンウォールに改修できるようにしたエアーフローカーテンウォールとすることである。
【課題を解決するための手段】
【０００８】
本発明は、既設のカーテンウォールの左右に隣接した方立間における居住空間と対向した部分にインナースキンを取付け、
このインナースキンと前記既設のカーテンウォールの面材との間に空間部を構成し、
この空間部の下部を居住空間に連通し、
前記空間部の上部を排気装置の吸込側に連通したことを特徴とするエアーフローカーテンウォールである。
【０００９】
本発明においては、前記空間部の上部に、その空間部に沿って流れた空気を捕集するエアー捕集体と、このエアー捕集体内に捕集した空気が流れ込むチャンバーボックスを備えたエアーフローユニットを取付け、
このチャンバーボックスに排気装置の吸込側を連通することができる。
このようにすれば、空間部を流通した空気をエアー捕集体で捕集し、その空気をチャンバーボックスを経て排気装置で吸い込むので、空間部に室内の空気が確実に流通する。
【００１０】
本発明においては、前記インナースキンを、開閉自在な障子を有したインナーサッシとし、このインナーサッシの上部を前記エアー捕集体に取付けることができる。
このようにすれば、障子を開放することで空間部内を点検できる。
【００１１】
本発明においては、前記左右に隣接した方立の室内側部にインナースキンを取付け、このインナースキンと前記方立の内面と既設のカーテンウォールの面材とで空間部を形成することができる。
このようにすれば、方立にインナースキンを取付ければ良いので、既設のカーテンウォールを簡単にエアーフローカーテンウォールに改修できる。
【００１２】
本発明においては、前記既設のカーテンウォールの方立の室内側部に補助方立を、その方立よりも室内側に張り出して取付け、
この左右に隣接した補助方立間にインナースキンを取付け、このインナースキンと前記方立の内面と補助方立の内面と既設のカーテンウォールの面材とで空間部を形成することができる。
このようにすれば、空間部の見込みを補助方立の見込みだけ大きくできるので、見込みの小さな方立を有した既設のカーテンウォールを必要な見込みの空間部を有したエアーフローカーテンウォールに改修できる。
【００１３】
本発明においては、既設のカーテンウォールの方立の室内側部に、左右の縦部材を、その方立よりも室内側に張り出してそれぞれ取付け、
前記左右に隣接した縦部材間に、インナースキンを取付け、
このインナースキンと前記方立の内面と縦部材の内面と既設のカーテンウォールの面材とで空間部を形成することができる。
このようにすれば、空間部の見込みを縦部材の見込みだけ大きくできるので、見込みの小さな方立を有した既設のカーテンウォールを必要な見込みの空間部を有したエアーフローカーテンウォールに改修できる。
【００１４】
本発明においては、既設のカーテンウォールの方立の室内側部に、上取付ブラケットと下取付ブラケットを、その方立よりも室内側に張り出してそれぞれ取付け、
前記上取付ブラケットにインナースキンの上部を取付け、このインナースキンの下部を前記下取付ブラケットに取付け、
このインナースキンと既設のカーテンウォールの面材との間に空間部を形成することができる。
このようにすれば、空間部の見込みを上取付ブラケット、下取付ブラケットの見込みだけ大きくできるので、見込みの小さな方立を有した既設のカーテンウォールを必要な見込みの空間部を有したエアーフローカーテンウォールに改修できる。
【００１５】
既設のカーテンウォールを本発明のエアーフローカーテンウォールに改修するには、既設のカーテンウォールの方立における面材よりも室内側寄りで居住空間と対向した部分に、インナースキンを取付け、
このインナースキンと前記面材との間に空間部を形成し、
前記空間部の下部を前記居住空間に連通すると共に、その空間部の上部を排気装置の吸込側に連通してエアーフローカーテンウォールとすることを特徴とするカーテンウォールの改修方法が好ましい。
【発明の効果】
【００１６】
本発明によれば、既設のカーテンウォールの方立間にインナースキンを、居住空間側から取付けできるので、室内側からの工事のみで既設のカーテンウォールをエアーフローカーテンウォールに改修できる。
【発明を実施するための最良の形態】
【００１７】
既設のカーテンウォールを図１、図２に基づいて説明する。
建物躯体１は、梁１ａと床スラブ１ｂを備え、その床スラブ１ｂの上面に床材２を取付けて床とし、その床スラブ１ｂに天井材３を吊り下げて取付けて天井としてある。
前記床材２と天井材３との間が居住空間４で、天井材３と床材２との間が天井裏５である。
前記建物躯体１に方立１０を左右方向に間隔を置いてファスナー２ａで取付け、この左右に隣接した方立１０間に亘って複数の無目枠１１を横架連結して複数の枠部を形成し、その各枠部に透光性の面材、例えばガラス１２を装着する。
前記天井裏５と対向した部分に耐火ボード１３を、床材２よりも上方に突出して取付けて腰部（スパンドレル部）１４とし、上下に隣接した腰部１４間を窓部（ビジョン部）１５として方立式のカーテンウォールとしてある。
前記床材２の室外側寄りには腰部内装材６が取付けてある。
この腰部内装材６の上端部と前記１つの無目枠１１とに亘って膳板７を取付け、居住空間４から耐火ボード１３が目視されないようにしてある。
前記天井材３の室外側部にカーテンボックス８が設けられ、そのカーテンボックス８内にブラインド９が取付けてある。
【００１８】
次に、前述した既設のカーテンウォールを利用したエアーフローカーテンウォールの実施の形態を説明する。
前述した従来の方立式のカーテンウォールは、図１に示すように、方立１０の室外側部にガラス１２が装着され、その方立１０はガラス１２よりも室内側に張り出しているので、その方立１０の張り出した部分を利用して室内の空気が流通する空間部を構成した。
例えば、図３と図４に示すように、方立１０の室内側部における居住空間４と対向した部分に、インナースキン、例えばインナーサッシ２０を取付け、このインナーサッシ２０と前記ガラス１２と左右に隣接した方立１０の内面１０ａとで空間部２１を構成する。つまり、既設のカーテンウォールのガラス１２がアウタースキンを兼用する。
前記空間部２１の下部は居住空間４に連通している。
例えば、インナーサッシ２０の下端部２０ａと膳板７との間に隙間を形成し、その隙間を吸込口２２として空間部２１の下部を居住空間４に連通している。
【００１９】
前記空間部２１の上部は排気装置２３の吸込側に連通している。
この排気装置２３は、ファンユニット２３ａと、そのファンユニット２３ａの吸込部に連通した吸込ダクト２３ｂと、前記ファンユニット２３ａの吐出部に連通した吐出ダクト２３ｃを備え、その吸込ダクト２３ｂが空間部２１の上部に連通し、吐出ダクト２３ｃは任意の場所まで配設される。
前記ファンユニット２３ａ、吸込ダクト２３ｂ、吐出ダクト２３ｃは天井裏５に配設してある。
【００２０】
このようであるから、排気装置２３を駆動することで、居住空間４内の空気（つまり、室内の空気）が吸込口２２から空間部２１の下部に流入し、その空間部２１を流通して上部から排気される。
したがって、室内の空気が空間部２１内を流通するので、窓際（窓部１５の近く）の温熱環境が改善される。
【００２１】
また、既設のカーテンウォールの方立１０の室内側部にインナーサッシ２０を取付け、天井裏５に排気装置２３を設けることで、既設のカーテンウォールをエアーフローカーテンウォールに簡単に改修できる。
前述のインナーサッシ２０の取付け工事、排気装置２３の設置工事は室内側から施工でき、施工におけるコスト面では、外部足場などの仮設工事、道路占有許可の費用が不要である。
また、施工の安全面では、建物外部への落下や、雨天時の室内漏水の危険性が無くなる。
また、工事中に建物内への居住者の出入りの制限を緩和できる。
【００２２】
図３、図４に示す実施の形態では、空間部２１の上部にエアーフローユニット３０が取付けてある。
このエアーフローユニット３０は、前記空間部２１に沿って流れた空気を捕集するエアー捕集体３１と、このエアー捕集体３１に取付けたチャンバーボックス３２を備えている。
これによって、空間部２１内に室内の空気が確実に流通するようにできる。
このエアーフローユニット３０の取付け工事は室内側から施工できる。
【００２３】
前記エアー捕集体３１は、左右の隣接した方立１０間に亘る長さで、その長手方向に空間部２１内の空気が均等に流入できる間隔および大きさに設定された複数の排気孔３３を有している。
前記チャンバーボックス３２は、前記エアー捕集体３１の長手方向に亘って取付けてあり、前記各排気孔３３がチャンバー３４内にそれぞれ連通している。
このチャンバーボックス３２のチャンバー３４内の空気を前記排気装置２３で吸引するようにしてある。例えば、前記吸込ダクト２３ｂがチャンバー３４内に連通している。
【００２４】
このようであるから、排気装置２３を駆動することで、各排気孔３３から空気を吸引するので、前述の空間部２１の上部における左右方向の複数位置から空気が吸引され、空間部２１の左右方向全域に亘ってほぼ均一に空気が流通する。
つまり、空間部２１の上部の１ヶ所から空気を吸引すると、空間部２１内の空気が１ヶ所に向けて流れるので、左右方向全域における一部分に空気の流れが生じないか、空気の流れが弱くなり、左右方向全域に亘ってほぼ均一に空気が流通しない。
したがって、窓部１５の全域の温熱環境を改善することができる。
【００２５】
また、排気装置２３による吸引は１ヶ所で良い。
なお、排気装置２３による吸引は２ヶ所、３ヶ所など複数としても良い。
要するに、排気装置２３による吸引ヶ所を、排気孔３３の数よりも少なくできる。
【００２６】
前記インナーサッシ２０、エアーフローユニット３０は別々として施工現場まで運搬し、施工現場でエアーフローユニット３０、インナーサッシ２０を順次取付ける。
このようにすれば、インナーサッシ２０、エアーフローユニット３０をそれぞれ単独で運搬できるから、建物のエレベータ等を利用して施工現場まで簡単に運搬できる。
なお、インナーサッシ２０、エアーフローユニット３０を組み立てた後に取付けるようにしても良い。
【００２７】
また、工場などにおいて前記インナーサッシ２０の上部にエアーフローユニット３０を取付けて改修ユニットとし、この改修ユニットを施工現場まで運搬して左右に隣接した方立１０間に取付けることで、既設のカーテンウォールをアウタースキンとインナースキンの間に空間部２１を有したエアーフローカーテンウォールに改修するようにしても良い。
このようにすれば、施工現場での改修工事が簡単で、短時間に既設のカーテンウォールをエアーフローカーテンウォールに改修でき、居住者への影響を最小限にできる。
【００２８】
次に、各部の詳細を説明する。
前記インナーサッシ２０は図５に示すように、開閉自在な障子２０ｂを有している。
例えば、上横部材２４と、下横部材２６と、その上横部材２４と下横部材２６との間に引き違いに装着した一対の障子２０ｂとで引き違いサッシとしてある。
前記エアーフローユニット３０のエアー捕集体３１は、図５、図６に示すように室内側縦板３１ａと上横板３１ｂと室外側縦板３１ｃで下向き凹部３１ｄを有した下向きコ字形状の長尺材で、その室内側縦板３１ａに複数の排気孔３３が形成してある。
前記エアーフローユニット３０のチャンバーボックス３２は、上面板３２ａと前面板３２ｂと下面板３２ｃで断面コ字形状の本体３２ｄと、左右の蓋３２ｅを備え、その上面板３２ａ、下面板３２ｃをエアー捕集体３１の室内側縦板３１ａに取付け、蓋３２ｅを取付けることでチャンバーボックス３２とエアー捕集体３１の室内側縦板３１ａでチャンバー３４を形成している。
前記前面板３２ｂにダクト接続孔３２ｆが形成してある。
【００２９】
図６に示すように、前記エアー捕集体３１がブラケット３５で方立１０に固着してある。
例えば、ブラケット３５の縦片３５ａをボルト３５ｂで方立１０の面内方向の内面１０ａに固着し、そのブラケット３５の横片３５ｃをボルト３５ｄでエアー捕集体３１の上横板３１ｂに固着してエアー捕集体３１を方立１０に取付ける。
【００３０】
前記上横部材２４はエアー捕集体３１に取付けてある。
例えば、上横部材２４の上下一対の係止片２４ａを、エアー捕集体３１の室内側縦板３１ａの下部に設けた上下一対の係止受片３１ｅに係止すると共に、ビス２４ｂで外れないように保持してある。
前記上横部材２４は一対の下向き凹部２４ｃを有し、この下向き凹部２４ｃに障子２０ｂの上部が摺動自在に嵌挿してある。
このようであるから、方立１０にエアー捕集体３１を取付けた状態で、係止片２４ａを係止受片３１ｅに係止すると共に、ビス２４ｂを締め付けて係止受片３１ｅに押しつけることで、上横部材２４を取付けできるので、その上横部材２４の取付けが簡単であり、その上横部材２４の構造を変えることで、インナーサッシ２０を引違いや、吊り戸、内開き、内突き出しに対応でき、他の部材を兼用可能である。
【００３１】
前記エアー捕集体３１の下向き凹部３１ｄにブラインド３６が取付けてある。
例えば、エアー捕集体３１の上横板３１ｂの下面にブラインドアタッチメント３６ａを取付け、このブラインドアタッチメント３６ａにブラインド３６を吊り下げて取付ける。
このようにすれば、狭い空間でのブラインド位置調整が不用となり、作業が簡素化される。
前記ブラインド３６のスラットを上方に移動することでエアー捕集体３１の下向き凹部３１ｄ内に収容されるようにしてある。
【００３２】
図６に示すように、腰部１４と窓部１５との境に位置する無目枠１１の下面１１ａと天井材３の下面３ａは同一高さである。またエアー捕集体３１の下面は天井材３の下面３ａと同一高さである。
前記エアー捕集体３１の室内側縦板３１ａと天井材３が連続し、エアー捕集体３１の室外側縦板３１ｃと無目枠１１とに亘ってプレート３７が取付けてある。例えば、エアー捕集体３１の室外側縦板３１ｃにプレート受け３７ａをビス３７ｂで固定し、このプレート受け３７ａにプレート３７をビス３７ｃで固定して取付ける。このプレート３７は前述の無目枠１１の下面１１ａと同一高さである。
これによって空間部２１の上部は天井裏５と区画される。
【００３３】
前記方立１０の室内側面１０ｂには拘束ブラケット３８が取付けてあり、この拘束ブラケット３８にエアー捕集体３１の室内側縦板３１ａを接して、エアーフローユニット３０の端部を拘束している。
【００３４】
前記エアー捕集体３１とチャンバーボックス３２は図６に示すように、エアー捕集体３１の室内側縦板３１ａの上部に設けた受片３１ｆに、上面板３２ａに設けた係止片３２ｇを係止して支持し、下面板３２ｃのフランジ３２ｈをビス３２ｉで室内側縦板３１ａに固着して取付けてある。
【００３５】
図７に示すように、下横部材２６は方立１０にブラケット２７で固着してある。
例えば、方立１０の内面１０ａにブラケット２７をビス２７ａで固着し、下横部材２６の下向き凹部２６ａをブラケット２７に嵌め合わせ、そのブラケット２７と下横部材２６をビス２７ｂで固着して取付ける。
このようにすることで、ブラケット２７、ビス２７ａ，２７ｂが下横部材２６で覆われて居住空間４側から見えないようにできる。
【００３６】
前記下横部材２６がインナーサッシ２０の下端部２０ａで、膳板７との間に隙間を有し、吸込口２２としてある。
このようにすることで、吸込口２２は左右に隣接した方立１０間に亘って連続する。
【００３７】
前記障子２０ｂの下端部が下横部材２６に面内方向に移動自在に支持されている。
このようにすることで、障子２０ｂを居住空間４から簡単に開閉でき、空間部２１内を居住空間４から点検できる。
【００３８】
図８に示すように、前記エアー捕集体３１の長手方向の両端面が左右に隣接した方立１０の内面１０ａに接している。
前記チャンバーボックス３２はエアー捕集体３１よりも短い。
【００３９】
図９に示すように、障子２０ｂは閉じ位置のときに方立１０の内面１０ａに直接又は気密材を介して接するようにしてある。
また、方立１０の内面１０ａにはブラインドガイドレール３９が取付けてある。
【００４０】
図６〜図９に示すように、前記インナーサッシ２０の室内側面２０ｃとエアー捕集体３１の室内側面（室内側縦板３１ａ）を、方立１０の室内側面１０ｂとほぼ面一としてある。
このようであるから、インナーサッシ２０の室内側面２０ｃ、エアー捕集体３１の室内側面、方立１０の室内側面ン１０ｂを、居住空間４から見たときに、それらがほぼ面一に連続して見えるので、見栄えが良い。
【００４１】
図１、図２に示す既設のカーテンウォールを前述したエアーフローカーテンウォールに改修するには、図１、図２に示す既設のカーテンウォールにおけるカーテンボックス８を取り外し、その後に残存している方立１０の室内側部にインナースキン、例えばインナーサッシ２０とエアーフローユニット３０を取付け、排気装置２３を取付ければ良い。
したがって、室内側からの工事のみによって既設のカーテンウォールをエアーフローカーテンウォールに改修できる。
また、方立１０の室内側にインナースキン、例えばインナーサッシ２０を取付ければ良いので、既設のカーテンウォールをエアーフローカーテンウォールに簡単に改修できる。
【００４２】
次に、本発明の第２の実施の形態を図１０〜図１５に基づいて説明する。
この実施の形態は、既設のカーテンウォールの方立１０の室内側部に補助方立４０を、その方立１０よりも室内側に張り出して取付け、この補助方立４０にインナースキン、例えばインナーサッシ２０、エアーフローユニット３０を取付けたことが第１の実施の形態と相違し、他の構成は第１の実施の形態と同様である。
また、インナーサッシ２０、エアーフローユニット３０の形状及び取付けも第１の実施の形態と同様である。
【００４３】
図１０と図１１に示すように、既設カーテンウォールの方立１０の室内側面１０ｂに補助方立４０を、その室内側面１０ｂよりも室内側（居住空間４側）に張り出して取付けてある。
前記補助方立４０の室内側部にインナースキン、例えばインナーサッシ２０を取付け、このインナーサッシ２０と既設のカーテンウォールのガラス１２と、方立１０の内面１０ａと補助方立４０の内面４０ａとの間に空間部２１を形成する。
この空間部２１の下部は吸込口２２で室内に連通し、その空間部２１の上部は排気装置２３の吸込側に連通することで、その空間部２１に室内の空気が流通するようにする。
【００４４】
このように構成すれば、空間部２１の見込み（室内外側方向の寸法）を補助方立４０の見込み（室内側方向の寸法）だけ大きくできる。
したがって、既設のカーテンウォールの方立１０の見込みが小さい場合でも、必要な見込みの空間部２１を有するエアーフローカーテンウォールとすることができる。
【００４５】
次に、各部の詳細を説明する。
前記補助方立４０は、図１０、図１１に示すようにカーテンウォールの窓部１５を形成する部分に取付けてある。
例えば、補助方立４０の上端面４０ｂは天井材３よりも上方に突出して腰部１４の下方寄りに位置し、下端面４０ｃは膳板７に接している。
【００４６】
このようであるから、補助方立４０を室内側から方立１０の室内側部に取付けできる。
例えば、図１、図２に示したカーテンボックス８を取り外すと共に、天井板３を取り外すことで補助方立４０を方立１０の室内側面１０ｂに取付けできる。
【００４７】
図１２、図１３に示すように、補助方立４０の上部と下部が補助方立取付用のブラケット４１で方立１０の室内側面１０ｂに固着して取付けてある。
前記方立１０は図１４、図１５に示すように、室外側縦板１０ｃと室内側縦板１０ｄと一対の側面縦板１０ｅで矩形断面の中空形状の本体部１０ｆとガラス取付部１０ｇを有している。
前記補助方立４０は室内側縦板４０ｄと室外側縦板４０ｅと一対の側面縦板４０ｆで矩形断面の中空形状で、その室外側縦板４０ｅの上下部分を図１２、図１３に示すように切欠きしてある。
前記ブラケット４１は取付片４１ａと一対の支持片４１ｂでコ字形状で、その取付片４１ａを方立１０の室内側縦板１０ｄにビス４１ｃで固着され、補助方立４０の前述した切欠き部４０ｇからブラケット４１の一対の支持片４１ｂが補助方立４０の中空部内に張り出すようにし、一対の側面縦板４０ｆと一対の支持片４１ｂをビス４１ｄで固着して取付ける。
【００４８】
このようであるから、方立１０に補助方立４０を室内側から容易に取付けできる。
【００４９】
前記インナーサッシ２０は第１の実施の形態と同様に、上横部材２４と下横部材２６とに亘って一対の障子２ｂを面内方向に移動自在に取付けたものである。
前記上横部材２４が図１２に示すように、第１の実施の形態と同様にエアー捕集体３１に取付けてある。
前記下横部材２６が図１３と図１５に示すように、第１の実施の形態と同様にブラケット２７で補助方立４０の内面４０ａに取付けてある。
前記エアー捕集体３１は図１２、図１４に示すように、第１の実施の形態と同様で、補助方立４０の内面４０ａにブラケット３５で固着して取付けてある。
前記チャンバーボックス３２は図１２、図１４に示すように、第１の実施の形態と同様にエアー捕集体３１に取付けてある。
【００５０】
次に、本発明の第３の実施の形態を図１６〜図２１に基づいて説明する。
この実施の形態は、既設のカーテンウォールの方立１０の室内側部に、左右一対の縦部材５０を、その方立１０よりも室内側に張り出して取付け、左右に隣接した縦部材５０間にインナースキン、例えばインナーサッシ２０を取付けたことが第１の実施の形態と相違し、他の構成は第１の実施の形態と同様である。
また、インナーサッシ２０、エアーフローユニット３０の形状は第１の実施の形態と同様である。
この実施の形態によれば、事前に工場で四方枠として組み立てが可能であり、施工の省力化が行える。
【００５１】
図１６と図１７に示すように、既設カーテンウォールの方立１０の室内側面１０ｂに左右一対の縦部材５０を、その室内側面１０ｂよりも室内側（居住空間４側）に張り出して取付けてある。
前記左右に隣接した縦部材５０の室内側部に亘ってインナースキン、例えばインナーサッシ２０を取付け、このインナーサッシ２０と既設のカーテンウォールのガラス１２と、方立１０の内面１０ａと縦部材５０の内面５０ａとの間に空間部２１を形成する。
この空間部２１の下部は吸込口２２で室内に連通し、その空間部２１の上部は排気装置２３の吸込側に連通することで、その空間部２１に室内の空気が流通するようにする。
【００５２】
このように構成すれば、空間部２１の見込み（室内外側方向の寸法）を縦部材５０の見込み（室内側方向の寸法）だけ大きくできる。
したがって、既設のカーテンウォールの方立１０の見込みが小さい場合でも、必要な見込みの空間部２１を有するエアーフローカーテンウォールとすることができる。
【００５３】
次に、各部の詳細を説明する。
前記縦部材５０は、図１６、図１７に示すようにカーテンウォールの窓部１５を形成する部分に取付けてある。
例えば、縦部材５０の上端面５０ｂは天井材３よりも上方に突出して腰部１４の下方寄りに位置し、下端面５０ｃは膳板７に接している。
【００５４】
このようであるから、縦部材５０を室内側から方立１０の室内側部に取付けできる。
例えば、図１、図２に示したカーテンボックス８を取り外すと共に、天井板３を取り外すことで縦部材５０を方立１０の室内側面１０ｂに取付けできる。
【００５５】
前記方立１０の室内側面１０ｂに縦部材取付用のブラケット５１が室内側に向けて固着してあり、このブラケット５１に左右一対の縦部材５０が取付けてある。
このブラケット５１は図２０、図２１に示すように、取付板５２と縦板５３でほぼＴ字形状で、その取付板５２に一対の取付片５２ａが設けてあると共に、縦板５３には左右の係止受部５３ａが室内外側方向に間隔を置いて複数有している。この係止受部５３ａは室内側に開口した溝形状である。前記取付板５２が方立１０の室内側面１０ｂに接してビス５２ｂで固着して取付けてある。
前記縦部材５０は室内外方向に向かう縦板５４に鉤形状の取付部５５と複数の係止部５６を設けたもので、その縦板５４の室外側端面が方立１０の室内側面１０ｂに当接し、取付部５５が取付板５２の取付片５２ａにビス５５ａで固着してあると共に、各係止部５６が各係止受部５３ａに係合している。
【００５６】
このようであるから、方立１０の室内側面１０ｂにブラケット５１をビス５２ｂで固着して取付け、この後に一対の縦部材５０をブラケット５１にそれぞれ取付けできる。
したがって、方立１０に一対の縦部材５０を室内側から容易に取付けできる。
【００５７】
前記インナーサッシ２０は第１の実施の形態と同様に、上横部材２４と下横部材２６とに亘って一対の障子２ｂを面内方向に移動自在に取付けたものである。
前記上横部材２４が図１８に示すように、第１の実施の形態と同様にエアー捕集体３１に取付けてある。
前記下横部材２６が図１９に示すように、第１の実施の形態と同様にブラケット２７で縦部材５０の内面５０ａに取付けてある。
前記エアー捕集体３１は図１８、図２０に示すように、縦部材５０の縦板５４（内面５０ａ）に接し、ビス５７で固着して取付けてある。
前記チャンバーボックス３２は図１８、図２０に示すように、第１の実施の形態と同様にエアー捕集体３１に取付けてある。
【００５８】
この実施の形態では、左右の縦部材５０の内面５０ａにおける上部室内側寄りに間にエアー捕集体３１を取付け、そのエアー捕集体３０に上横部材２４を取付け、左右の縦部材５０の内面５０ａにおける下部室内側寄り間に下横部材２６を取付けてサッシ枠体とし、その上横部材２４と下横部材２６に亘って障子２０ｂを装着してインナーサッシ２０を組み立て、左右の縦部材５０を方立１０の室内側面１０ｂに固着することでインナーサッシ２０を取付けるようにすることができる。
【００５９】
次に、本発明の第４の実施の形態を図２２〜図２７に基づいて説明する。
この実施の形態は、既設のカーテンウォールの方立１０の室内側部にインナースキン、例えばインナーサッシ２０を上取付ブラケット６０と下取付ブラケット７０で取付けたことが、第１の実施の形態と相違し、他の構成は第１の実施の形態と同様である。
また、インナーサッシ２０、エアーフローユニット３０の形状は第１の実施の形態と同様である。
この実施の形態によれば、壁との取り合いで、第２の実施の形態の補助方立４０、第３の実施の形態の縦部材５０が取付けできない場合に対応できる。また、前記補助方立４０、縦部材５０、それに付随する部品が不用になり、安価に提供できる。
【００６０】
図２２、図２３に示すように、既設カーテンウォールの方立１０の室内側部に、上取付ブラケット６０を、方立１０の室内側面１０ｂよりも室内側に張り出して取付け、この上取付ブラケット６０にインナースキン、例えばインナーサッシ２０の上部、この実施の形態ではエアー捕集体３１を取付ける。
前記上取付ブラケット６０は腰部１４と対向した位置、つまり天井裏５に位置している。
【００６１】
前記既設カーテンウォールの方立１０の室内側部に、下取付部ラケット７０を、方立１０の室内側面１０ｂよりも室内側に張り出して取付け、この下取付部ラケット７０にインナースキン、例えばインナーサッシ２０の下部、この実施の形態では下横部材２６を取付けることで、左右に隣接した上取付ブラケット６０と左右に隣接した下取付ブラケット７０とに亘ってインナースキン、例えばインナーサッシ２０を取付ける。
【００６２】
このインナースキン（インナーサッシ２０）と既設のカーテンウォールのガラス１２との間に空間部２１を形成する。
この空間部２１の下部は吸込口２２で室内に連通し、その空間部２１の上部は排気装置２３の吸込側に連通することで、その空間部２１に室内の空気が流通するようにする。
この実施の形態では、空間部２１の上部にエアーフローユニット３０を取付け、そのエアーフローユニット３０に排気装置２３の吸込ダクト２３ｂが連通している。
【００６３】
このように構成すれば、空間部２１の見込みを上取付ブラケット６０、下取付ブラケット７０の見込みだけ大きくできる。
したがって、既設のカーテンウォールの方立１０の見込みが小さい場合でも、必要な見込みの空間部２１を有するエアーフローカーテンウォールとすることができる。
【００６４】
次に、各部の詳細を説明する。
図２４と図２６に示すように、前記上取付ブラケット６０は縦片６１と横片６２で鉤形状で、その縦片６１の室外側部が方立１０の内面１０ａにおける室内側部にボルト６３で固着してあり、１つの方立１０の左右の内面１０ａに一対の上取付ブラケット６０がそれぞれ取付けてある。
前記横片６２の室内側部がエアー捕集体３１の上横板３１ｂにボルト・ナット６４で固着され、エアー捕集体３１が上取付ブラケット６０で方立１０に取付けてある。
【００６５】
前記エアー捕集体３１は第１の実施の形態と同様な断面形状で、その左右の端面に蓋３２ｆを取付けて両端部を閉塞している。
なお、上取付ブラケット６０と蓋３２ｆを一体としても良い。
前記エアーフローユニット３０のチャンバーボックス３２は第１の実施の形態と同様の断面形状で、第１の実施の形態と同様にエアー捕集体３１に取付けてある。
【００６６】
前記下取付ブラケット７０は図２５と図２７に示すように、室内外側方向に向かう基板７１の室内側と室外側とに一側取付片７２と他側取付片７３を有したほぼコ字形状で、その一側取付片７２が方立１０の室内側面１０ｂにボルト７４で固着して取付けてある。
前記他側取付片７３が方立１０の室内側面１０ｂよりも室内側に張り出し、その他側取付片７３に下横部材２６がボルト７５で固着して取付けてある。
【００６７】
前記インナーサッシ２０の上横部材２４は第１の実施の形態と同様の断面形状で、エアー捕集体３１に第１の実施の形態と同様に取付けてある。
この実施の形態では、左右に隣接した空間部２１が上取付ブラケット６０と下取付ブラケット７０との間で連通しているので、建物の端部において仕切り部材を設けて最も端部の空間部２１の左右端を閉塞するか、建物の壁自体で閉塞するようにする。
【００６８】
次に、本発明の第５の実施の形態を図２８、図２９に基づいて説明する。
この実施の形態は、建物躯体１の梁１ａと天井材３との間のスペースが小さく、排気装置２３の吸込ダクト２３ｂを前述の梁１ａと天井材３との間に配設できない場合に対応した実施の形態で、天井材３を段差を有するものとして梁１ａと天井材３との間に吸込ダクト２３ｂを配設できるようにしたことが第１の実施の形態と相違し、他の構成は第１の実施の形態と同様である。
【００６９】
図２８に示すように、天井材３を、建物躯体１の梁１ａと対向した室外側寄り天井材３ｂと室内側寄り天井材３ｃと段差部３ｄとで段差を有するものとしてある。
前記室外側寄り天井材３ｂは室内側寄り天井材３ｃよりも低く、この室外側寄り天井材３ｂと梁１ａとの間のスペースは大きく、排気装置２３の吸込ダクト２３ｂを配設できるようにしてある。
例えば、既設のカーテンウォールの天井材が前記室内側寄り天井材３ｃと同一高さで、その天井材と梁１ａとの間のスペースが小さい場合には、その天井材における梁１ａと対向した部分のみを取り外して除去し、段差部３ｄを有して新しい天井材を取付けて室外側寄り天井材３ｂとする。
【００７０】
この場合には、室外側寄り天井材３ｂと合わせてインナースキン、例えばインナーサッシ２０を取付ける。
例えば、図２９に示すように、エアーフローユニット３０のエアー捕集体３１を、方立１０の内面１０ａにブラケット３５で取付け、そのエアー捕集体３１の室内側縦板３１ａの下端面を室外側寄り天井材３ｂの下面３ａと同一高さとする。
これによって、エアー捕集体３１の室外側縦板３１ｃの下端部は、無目１１の下面１１ａよりも下方位置となるので、前述のプレート受け３７ａを室外側縦板３１ｃに無目１１の下面１１ａと高さを合わせてビス３７ｂで固定して取付ける。
そして、このプレート受け３７ａにプレート３７をビス３７ｃで固定して取付け、プレート３７を無目１１の下面１１ａと同一高さとして取付ける。
【００７１】
このように、プレート３７をプレート受け３７ａを用いてエアー捕集体３１の室外側縦板３１ｃに取付けることで、そのプレート３７とプレート受け３７ａを共通としてエアー捕集体３１の取付け高さ位置が異なる場合に、そのプレート３７を無目１１の下面１１ａと同一高さとして取付けできる。
【００７２】
前述の説明では、方立１０にインナースキン、例えばインナーサッシ２０を直接取付けしたが、前述の第２・第３・第４の実施の形態のようにして方立１０にインナーサッシ２０を取付けても良い。
【００７３】
前述の各実施の形態は、建物躯体１を鉄製の梁１ａと床スラブ１ｂを備えたものとしたが、建物躯体１をＲＣ梁を有したＲＣ納りとすることもできる。
例えば、図３０に示すように、床部１ｃと梁部１ｄを有したＲＣ梁で建物躯体１とする。
この実施の形態では、第２の実施の形態と同様に方立１０に補助方立４０を取付け、その補助方立４０にインナースキン、例えばインナーサッシ２０を取付けて空間部２１を形成したが、これに限ることはなく、第１・第３・第４の実施の形態のようにして空間部２１を形成することもできる。
【００７４】
前述の各実施の形態においてはインナーサッシ２０の障子２０ｂを下横部材２６に移動自在に支持した引き違いサッシとしてあるが、障子２０ｂを上横部材２４で移動自在に支持した上吊り式の引き違いサッシ、突き出しサッシ、内開きサッシなどとしても良いし、障子２０ｂを開閉しないようにしても良い。
また、インナースキンはインナーサッシに限ることはなく、ロールブラインドや高気密ブラインドとしても良い。
また、インナーサッシ２０を、上横部材２４と下横部材２６と縦部材で方形状のサッシ枠を有し、そのサッシ枠に障子を装着したものとしても良い。
【図面の簡単な説明】
【００７５】
【図１】既設のカーテンウォールの概略縦断面図である。
【図２】図１のＡ−Ａ断面図である。
【図３】本発明の第１の実施の形態を示すエアーフローカーテンウォールの概略縦断面図である。
【図４】図３のＢ−Ｂ断面図である。
【図５】インナーサッシとエアーフローユニットの斜視図である。
【図６】図３における空間部の上部分の拡大詳細断面図である。
【図７】図３における空間部の下部分の拡大詳細断面図である。
【図８】図４のＣ−Ｃ拡大詳細断面図である。
【図９】図４のＤ−Ｄ拡大詳細断面図である。
【図１０】本発明の第２の実施の形態を示すエアーフローカーテンウォールの概略縦断面図である。
【図１１】図１０のＥ−Ｅ断面図である。
【図１２】図１０におけるインナーサッシの上部分の拡大詳細断面図である。
【図１３】図１０におけるインナーサッシの下部分の拡大詳細断面図である。
【図１４】図１１のＦ−Ｆ拡大詳細断面図である。
【図１５】図１１のＧ−Ｇ拡大詳細断面図である。
【図１６】本発明の第３の実施の形態を示すエアーフローカーテンウォールの概略縦断面図である。
【図１７】図１６のＨ−Ｈ断面図である。
【図１８】図１６におけるインナーサッシの上部分の拡大詳細断面図である。
【図１９】図１６におけるインナーサッシの下部分の拡大詳細断面図である。
【図２０】図１７のＩ−Ｉ拡大詳細断面図である。
【図２１】図１７のＪ−Ｊ拡大詳細断面図である。
【図２２】本発明の第４の実施の形態を示すエアーフローカーテンウォールの概略縦断面図である。
【図２３】図２２のＫ−Ｋ断面図である。
【図２４】図２２におけるインナーサッシの上部分の拡大詳細断面図である。
【図２５】図２２におけるインナーサッシの下部分の拡大詳細断面図である。
【図２６】図２３のＬ−Ｌ拡大詳細断面図である。
【図２７】図２３のＭ−Ｍ拡大詳細断面図である。
【図２８】本発明の第５の実施の形態を示すエアーフローカーテンウォールの概略縦断面図である。
【図２９】図２８における空間部の上部分の拡大詳細断面図である。
【図３０】本発明の第６の実施の形態を示すエアーフローカーテンウォールの概略縦断面図である。
【符号の説明】
【００７６】
１…建物躯体、２…床材、３…天井材、４…居住空間、５…天井裏、７…膳板、１０…方立、１０ａ…内面、１０ｂ…室内側面、１２…ガラス（面材）、１４…腰部、１５…窓部、２０…インナーサッシ（インナースキン）、２０ａ…下端部、２０ｂ…障子、２０ｃ…室内側面、２１…空間部、２２…吸込口、２３…排気装置、２４…上横部材、２６…下横部材、２７…ブラケット、３０…エアーフローユニット、３１…エアー捕集体、３２…チャンバーボックス、３５…ブラケット、４０…補助方立、４０ａ…内面、４１…ブラケット、５０…縦部材、５０ａ…内面、６０…上取付ブラケット、７０…下取付ブラケット。
【図１】
2010144475.tif 000003
【図２】
2010144475.tif 000004
【図３】
2010144475.tif 000005
【図４】
2010144475.tif 000006
【図５】
2010144475.tif 000007
【図６】
2010144475.tif 000008
【図７】
2010144475.tif 000009
【図８】
2010144475.tif 000010
【図９】
2010144475.tif 000011
【図１０】
2010144475.tif 000012
【図１１】
2010144475.tif 000013
【図１２】
2010144475.tif 000014
【図１３】
2010144475.tif 000015
【図１４】
2010144475.tif 000016
【図１５】
2010144475.tif 000017
【図１６】
2010144475.tif 000018
【図１７】
2010144475.tif 000019
【図１８】
2010144475.tif 000020
【図１９】
2010144475.tif 000021
【図２０】
2010144475.tif 000022
【図２１】
2010144475.tif 000023
【図２２】
2010144475.tif 000024
【図２３】
2010144475.tif 000025
【図２４】
2010144475.tif 000026
【図２５】
2010144475.tif 000027
【図２６】
2010144475.tif 000028
【図２７】
2010144475.tif 000029
【図２８】
2010144475.tif 000030
【図２９】
2010144475.tif 000031
【図３０】
2010144475.tif 000032